(57)【特許請求の範囲】
【請求項１】
地図情報を記憶する地図情報記憶部と、
前記地図情報における車両の走行位置を取得する走行位置取得部と、
前記地図情報における所定の制御地点毎に予め関連付けられた制御対象である複数の車載機器の動作パターンを記憶する動作パターン記憶部と、
前記制御地点に基づいて、前記地図情報における前記制御対象を制御する制御領域を算出する制御領域算出部と、
前記車両の走行位置及び前記制御領域に基づいて、前記動作パターン記憶部に記憶される動作パターンから、実行する動作パターンを決定するパターン決定部と、
前記車両の走行位置が前記制御領域内の間、前記パターン決定部により決定された前記動作パターンを実行するように前記制御対象を制御する機器制御部と、を備え、
前記動作パターンは、前記制御領域内の間で第１段階から時系列に移行する複数の段階を有し、前記複数の段階毎に前記制御対象の動作が設定され、
前記機器制御部は、前記車両の走行位置が前記制御領域から離脱した場合に、前記第１段階前の状態に前記制御対象を戻す
ことを特徴とする車載機器制御装置。
【請求項２】
前記動作パターン記憶部は、前記複数の段階を移行する移行条件として、前記車両の走行位置、周囲環境及び走行状態の少なくともいずれかに基づく条件が設定される前記動作パターンを記憶し、
前記機器制御部は、前記移行条件が満たされることに応じて、前記複数の段階を移行して前記制御対象を制御することを特徴とする請求項１に記載の車載機器制御装置。
【請求項３】
前記動作パターン記憶部は、特定の前記制御地点に関連付けられた特定の場所において過去に行われた前記車載機器の動作を記憶し、
前記機器制御部は、前記特定の制御地点に基づいて算出された制御領域において、前記過去に行われた動作に関連付けられた動作を実行するように前記車載機器を制御することを特徴とする請求項１又は２に記載の車載機器制御装置。
【請求項４】
前記動作パターン記憶部は、前記制御地点毎に、前記車両の状況に応じた複数の動作パターンを記憶し、
前記パターン決定部は、前記制御地点毎の複数の動作パターンから、前記車両の状況に応じて、実行する動作パターンを決定することを特徴とする請求項１〜３のいずれか１項に記載の車載機器制御装置。
【請求項５】
前記動作パターン記憶部は、前記制御領域において前記車載機器の動作が前記車両のユーザにより変更されることに応じて、前記動作パターンを変更することを特徴とする請求項１〜４のいずれか１項に記載の車載機器制御装置。
【請求項６】
前記動作パターン記憶部により記憶される動作パターンは、前記車両のユーザにより編集可能であることを特徴とする請求項１〜５のいずれか１項に記載の車載機器制御装置。
【請求項７】
地図情報における車両の走行位置を取得することと、
前記地図情報における所定の制御地点毎に予め関連付けられた制御対象である複数の車載機器の動作パターンを動作パターン記憶部に記憶することと、
前記制御地点に基づいて、前記地図情報における前記制御対象を制御する制御領域を算出することと、
前記車両の走行位置及び前記制御領域に基づいて、前記動作パターン記憶部に記憶される動作パターンから、実行する動作パターンを決定することと、
前記車両の走行位置が前記制御領域内の間、決定された前記動作パターンを実行するように前記制御対象を制御することと、を含み、
前記動作パターンは、前記制御領域内の間で第１段階から時系列に移行する複数の段階を有し、複数の段階毎に前記制御対象の動作が設定され、
前記車両の走行位置が前記制御領域から離脱した場合に、前記第１段階前の状態に前記制御対象を戻すことをさらに含む
ことを特徴とする車載機器制御方法。
【発明の詳細な説明】
【技術分野】
【０００１】
本発明は、車両に搭載された機器を制御する車載機器制御装置及び車載機器制御方法に関する。
【背景技術】
【０００２】
車載機器に対する操作負荷を軽減する装置として、車載機器に対して行われた操作に関連する操作を、ベイズ理論等の確率モデルを用いてユーザに推薦し、ユーザの回答に応じて車載機器を制御する装置が提案されている（特許文献１参照）。
【先行技術文献】
【特許文献】
【０００３】
【特許文献１】特開２００９−１７３１８２号公報
【発明の概要】
【発明が解決しようとする課題】
【０００４】
しかしながら、特許文献１に記載の技術は、車載機器や車載機器の複数種類の動作に対して個別の確率モデルを多重に適用するため、複数の車載機器を制御する場合、制御が最適化されるまでに相当数の回答回数（学習回数）が必要となる。
【０００５】
本発明は、上記問題点を鑑み、様々な車載機器の操作を簡単且つ効率的に低減することができる車載機器制御装置及び車載機器制御方法を提供することを目的とする。
【課題を解決するための手段】
【０００６】
車載機器制御装置は、地図情報における所定の制御地点毎に予め関連付けられた制御対象である複数の車載機器の動作パターンを記憶し、記憶される動作パターンから、実行する動作パターンを決定し、車両の走行位置が制御領域内の間、決定された前記動作パターンを実行するように制御対象を制御し、制御領域から離脱した場合に制御対象を前の状態に戻す。動作パターンは、制御領域内の間で第１段階から時系列に移行する複数の段階を有し、複数の段階毎に制御対象の動作が設定されている。
【発明の効果】
【０００７】
本発明によれば、地図情報における所定の制御地点毎に予め関連付けられた複数の車載機器の動作パターンを実行することにより、様々な車載機器の操作を簡単且つ効率的に低減することができる車載機器制御装置及び車載機器制御方法を提供することができる。
【図面の簡単な説明】
【０００８】
【図１】図１は、本発明の実施の形態に係る車載機器制御装置の構成の一例を説明するブロック図である。
【図２】図２は、本発明の実施の形態に係る車載機器制御装置を用いた車載機器制御方法の一例を説明するフローチャートである。
【図３】図３は、本発明の実施の形態に係る車載機器制御装置を用いた車載機器制御方法の一例を説明するフローチャートである。
【図４】図４は、本発明の実施の形態に係る車載機器制御装置を用いた車載機器制御方法の一例を説明するフローチャートである。
【図５】図５は、本発明の実施の形態に係る車載機器制御装置の第１実施例における動作パターンを説明する図である。
【図６】図６は、本発明の実施の形態に係る車載機器制御装置の第２実施例における動作パターンを説明する図である。
【図７】図７は、本発明の実施の形態に係る車載機器制御装置の第３実施例における動作パターンを説明する図である。
【図８】図８は、本発明の実施の形態に係る車載機器制御装置の第４実施例における動作パターンを説明する図である。
【図９】図９は、本発明の実施の形態に係る車載機器制御装置の第５実施例における動作パターンを説明する図である。
【図１０】図１０は、本発明の実施の形態に係る車載機器制御装置の第６実施例における動作パターンを説明する図である。
【図１１】図１１は、本発明の実施の形態に係る車載機器制御装置の第７実施例における動作パターンを説明する図である。
【図１２】図１２は、本発明の実施の形態に係る車載機器制御装置の第８実施例における動作パターンを説明する図である。
【図１３】図１３は、本発明の実施の形態に係る車載機器制御装置の第９実施例における動作パターンを説明する図である。
【図１４】図１４は、本発明の実施の形態に係る車載機器制御装置の第１０実施例における動作パターンを説明する図である。
【図１５】図１５は、本発明の実施の形態に係る車載機器制御装置の第１１実施例における動作パターンを説明する図である。
【図１６】図１６は、本発明の実施の形態に係る車載機器制御装置の第１２実施例における動作パターンを説明する図である。
【図１７】図１７は、本発明の実施の形態に係る車載機器制御装置の第１２実施例における動作パターンを説明する図である。
【図１８】図１８は、本発明の実施の形態に係る車載機器制御装置の第１３実施例における動作パターンを説明する図である。
【図１９】図１９は、本発明の実施の形態に係る車載機器制御装置の第１３実施例における動作パターンを説明する図である。
【図２０】図２０は、本発明の他の実施の形態に係る車載機器制御装置の第１４実施例における表示画面を図示した一例である。
【図２１】図２１は、本発明の他の実施の形態に係る車載機器制御装置の第１４実施例における表示画面を図示した一例である。
【図２２】図２２は、本発明の他の実施の形態に係る車載機器制御装置の第１４実施例における表示画面を図示した一例である。
【図２３】図２３は、本発明の他の実施の形態に係る車載機器制御装置の第１４実施例における表示画面を図示した一例である。
【図２４】図２４は、本発明の他の実施の形態に係る車載機器制御装置の第１４実施例における表示画面を図示した一例である。
【発明を実施するための形態】
【０００９】
図面を参照して、本発明の実施の形態を説明する。図面の記載において、同一又は類似の部分には同一又は類似の符号を付し、重複する説明を省略する。
【００１０】
（車載機器制御装置）
本実施の形態に係る車載機器制御装置は、図１に示すように、測位装置１０と、通信インターフェース（Ｉ／Ｆ）２０と、センサ群３０と、記憶装置４０と、コントローラ５０と、入力Ｉ／Ｆ６０と、複数の車載機器８-1，８-2，…，８-nとを備える。本発明の実施の形態に係る車載機器制御装置は、車両に搭載され、様々な車載機器８-1，８-2，…，８-n（以下、総称する場合において「車載機器８」という）を制御する。
【００１１】
車載機器８は、例えば、パワーウィンドウ、ドアミラー、バックビューモニタ、サイドビューモニタ、アイドリングストップ制御装置、前照灯、方向指示器、ルームランプ、ドアロック、トランクロック、スライドドア、ブザー、ディスプレイ、スピーカ、オーディオ機器、カーナビゲーションシステム、各種アクチュエータ等、車両に搭載され、電子制御可能な機器である。
【００１２】
測位装置１０は、全地球測位システム（ＧＰＳ）等の測位システムにより、車両の地球上における現在位置を測定する。測位装置１０は、例えばＧＰＳ受信機からなる。測位装置１０は、測定した現在位置をコントローラ５０に逐次出力する。
【００１３】
通信Ｉ／Ｆ２０は、例えば、無線で外部と信号を送受信する通信機である。通信Ｉ／Ｆ２０は、例えば、渋滞情報、交通規制等の交通情報や、天気情報等をリアルタイムに送信する高度道路交通システム（ＩＴＳ）により、外部から種々の情報を受信する。ＩＴＳは、ＶＩＣＳ（Vehicle Information and Communication System:登録商標）、テレマティクス等を含む。通信Ｉ／Ｆ２０は、受信した情報をコントローラ５０に逐次出力する。
【００１４】
センサ群３０は、例えば、速度センサ、加速度センサ、角速度センサ、操舵角センサ、方位センサ、ギアポジションセンサ等の車両の走行状態を検出する車両センサと、カメラ、レーザーレンジファインダー（ＬＲＦ）、超音波センサ、ミリ波センサ、赤外線センサ、雨滴センサ、照度センサ、時計等の車両の周囲環境を検出する周囲センサとから構成可能である。センサ群３０の車両センサは、各センサにより車両の速度、３次元直交座標系における３軸の加速度及び角速度等を検出し、検出結果をコントローラ５０に逐次出力する。センサ群３０の周囲センサは、コントローラ５０により駆動を制御され、検出結果をコントローラ５０に逐次出力する。
【００１５】
記憶装置４０は、地図情報記憶部４１と、動作パターン記憶部４２と、領域記憶部４３とを備える。記憶装置４０は、半導体メモリ、磁気ディスク等から構成可能である。記憶装置４０は、その他、コントローラ５０において行われる処理に必要なプログラムを記憶するようにしてもよい。記憶装置４０を構成する各部は、１つのハードウェアから構成されてもよく、複数のハードウェアから構成されてもよい。
【００１６】
地図情報記憶部４１は、例えば、道路、道路種別、施設情報等を含む地図情報を記憶する。地図情報記憶部４１は、所定の車載機器８が制御される地点を示す制御地点を記憶する。地図情報記憶部４１は、道路毎の車線、道路及び道路周辺の地物等、詳細な情報を含むようにしてもよい。
【００１７】
動作パターン記憶部４２は、地図情報における制御地点毎に予め関連付けられた制御対象である複数の車載機器８の様々な動作パターンを記憶する。動作パターンは、時系列における、第１から第３の複数の段階毎の車載機器８の動作が設定される。例えば、第１段階は準備段階、第２段階は実施段階、第３段階は後処理段階である。また、動作パターンは、複数の段階を移行する移行条件が設定される。移行条件は、車両の走行位置、周囲環境及び走行状態の少なくともいずれかに基づく条件とすることができる。
【００１８】
領域記憶部４３は、地図情報における制御地点に基づく、制御対象である車載機器８を制御する領域である制御領域を記憶する。領域記憶部４３は、制御地点に対応する制御領域を算出するための関数を記憶するようにしてもよい。制御領域算出用の関数は、制御対象となる車載機器８の種類に応じて設定されてもよく、車両の速度に応じて設定されてもよい。
【００１９】
入力Ｉ／Ｆ６０は、例えば、ユーザの操作を受け付け、操作に応じた信号をコントローラ５０に出力する。入力Ｉ／Ｆ６０は、タッチパネルディスプレイとして車載機器８の１つのディスプレイと共に一体に構成されてもよい。入力Ｉ／Ｆ６０は、ユーザの操作に応じた信号をコントローラ５０に出力することにより、車載機器８を制御することができる。また、入力Ｉ／Ｆ６０は、複数の車載機器８を操作するスイッチ等を含む。
【００２０】
コントローラ５０は、走行位置取得部５１と、情報取得部５２と、パターン決定部５３と、制御領域算出部５４と、機器制御部５５と、学習処理部５６とを有する。コントローラ５０は、例えば、中央演算処理装置（ＣＰＵ）、メモリ、及び入出力Ｉ／Ｆ等を備える集積回路であるマイクロコントローラにより構成可能である。この場合、マイクロコントローラに予めインストールされたコンピュータプログラムをＣＰＵが実行することにより、コントローラ５０を構成する複数の情報処理部（５１〜５６）が実現される。コントローラ５０を構成する各部は、一体のハードウェアから構成されてもよく、別個のハードウェアから構成されてもよい。マイクロコントローラは、例えば自動運転制御等の車両に関わる他の制御に用いる電子制御ユニット（ＥＣＵ）と兼用されてもよい。
【００２１】
走行位置取得部５１は、測位装置１０により測定された現在位置と、センサ群３０により検出される車両の運動量に基づいて、地図情報における車両の走行位置を取得する。走行位置取得部５１は、更に、センサ群３０により検出される地物の位置から、地図情報記憶部４１に記憶される地物に対する車両の相対的な位置を算出することにより、走行車線等、地図情報における車両の詳細な走行位置を取得するようにしてもよい。
【００２２】
情報取得部５２は、通信Ｉ／Ｆ２０、センサ群３０、走行位置取得部５１及び入力Ｉ／Ｆ６０の少なくともいずれかから各種情報を取得する。情報取得部５２により取得される情報は、車両の走行状態、周囲環境及び走行位置の他、交通情報、天気情報、入力Ｉ／Ｆ６０を介してユーザにより指定される情報等である。情報取得部５２は、走行位置から制御地点までの距離が所定の閾値未満となることに応じて、情報を取得するようにしてもよい。
【００２３】
パターン決定部５３は、車両の走行位置及び制御領域に基づいて、動作パターン記憶部４２に記憶される動作パターンから、実行する動作パターンを決定する。パターン決定部５３は、情報取得部５２により取得された情報に基づいて、車両の状況を判断する。パターン決定部５３は、判断した車両の状況に応じて、動作パターン記憶部４２に記憶される１つの制御地点に関連付けられた複数の動作パターンから、車両の状況に応じた動作パターンを決定するようにしてもよい。
【００２４】
パターン決定部５３は、例えば、例えば、走行位置から制御地点までの距離が所定の閾値未満となることに応じて、車両の状況を判断し、動作パターンを決定する。パターン決定部５３は、１つの制御地点に関連付けられた動作パターンが複数の場合、動作パターンを示す選択肢をディスプレイに表示させることにより、ユーザに入力Ｉ／Ｆ６０による選択を促すようにしてもよい。
【００２５】
制御領域算出部５４は、車両の走行位置及び制御地点に基づいて、制御対象を制御する領域として、地図情報における制御領域を予め設定された算出方法により算出する。制御領域算出部５４により算出された制御領域は、領域記憶部４３に記憶される。制御領域算出部５４は、領域記憶部４３に記憶された制御領域又は制御領域算出用の関数を読み出すことにより、制御領域を算出するようにしてもよい。また、制御領域算出部５４は、制御対象となる車載機器８の種類に応じて算出されるようにしてもよい。
【００２６】
制御領域算出部５４は、車両の走行位置が制御地点まで所定の距離となるとき、制御地点に制御領域をそれぞれ算出する。制御領域算出部５４が制御領域を算出する時点において、車両から制御領域の境界までの距離は、車両から制御地点までの距離より短い。
【００２７】
機器制御部５５は、車両の走行位置が制御領域内の間に、制御対象が、パターン決定部５３により決定された動作パターンを実行するように複数の車載機器８を同時に制御する。すなわち、機器制御部５５は、パターン決定部５３により決定された動作パターンを動作パターン記憶部４２から読み出し、制御対象となる複数の車載機器８が、車両の状況に応じた動作パターンを行うように複数の車載機器８を制御する。
【００２８】
学習処理部５６は、入力Ｉ／Ｆ６０に対するユーザの操作により、動作パターン記憶部４２により記憶された動作パターン、制御領域算出部５４により算出された制御領域、領域記憶部４３に記憶された制御領域の少なくともいずれかを変更させる入力があった場合、入力内容に応じて各値を変更する。また、学習処理部５６は、走行履歴や入力Ｉ／Ｆ６０からの入力に基づいて、動作パターン記憶部４２や領域記憶部４３の記憶内容、制御領域算出部５４の処理に用いられる関数及び閾値等を変更するようにしてもよい。
【００２９】
（車載機器制御方法）
図２〜図４のフローチャートを参照して、本発明の実施の形態に係る車載機器制御装置を用いた車載機器制御方法を説明する。図２〜図４のフローチャートに示す一連のタスクは、車載機器制御方法の一例であり、各ステップは、種々の条件に応じて、省略、順序及び内容の変更等がなされてよい。また、図２〜図４のフローチャートに示す一連のタスクは、他の動作パターンを実行するタスクと並列に処理されてもよい。
【００３０】
先ず、ステップＳ１０１において、走行位置取得部５１は、測位装置１０により測定された現在位置及びセンサ群３０の検出結果に基づいて、地図情報における車両の走行位置を取得する。
【００３１】
ステップＳ１０２において、制御領域算出部５４は、地図情報記憶部４１を参照し、車両の進行方向に存在する制御地点を検索する。
【００３２】
ステップＳ１０３において、制御領域算出部５４は、動作パターン記憶部４２を参照し、検索された制御地点に対応する動作パターンがあるか否かを判定する。動作パターンがある場合、ステップＳ１０４に処理を進め、制御地点又は動作パターンがない場合、ステップＳ１０１から処理を繰り返す。
【００３３】
ステップＳ１０４において、制御領域算出部５４は、少なくとも制御地点に基づいて、制御対象を制御する領域として、地図情報における制御領域を予め設定された算出方法により算出する。
【００３４】
ステップＳ１０５において、機器制御部５５は、走行位置取得部５１により取得される車両の走行位置が、ステップＳ１０４において算出された制御領域に到達したか否かを判定する。機器制御部５５は、車両の走行位置が制御領域に到達するまで、ステップＳ１０５の処理を繰り返す。
【００３５】
ステップＳ１０６において、情報取得部５２は、通信Ｉ／Ｆ２０及びセンサ群３０等から、車両の状況を示す情報として、各種情報を取得する。車両の状況を示す情報は、例えば、車両の走行位置、周囲環境及び走行状態の少なくともいずれかである。
【００３６】
ステップＳ１０７において、パターン決定部５３は、ステップＳ１０６において取得された情報に基づいて、車両の状況を判断し、ステップＳ１０２において検索された制御地点に対応する動作パターン記憶部４２の動作パターンから、実行する動作パターンを決定する。
【００３７】
ステップＳ１０８において、機器制御部５５は、ステップＳ１０７において決定された動作パターンから、第１段階における制御対象及び制御対象毎の動作終了タイミングを読み込む。動作終了タイミングは、第１段階において動作が開始された制御対象が動作を終了する段階を意味する。
【００３８】
ステップＳ１０９において、機器制御部５５は、ステップＳ１０７において決定された動作パターンから、第１段階から第２段階に移行する条件である第１移行条件を読み込む。
【００３９】
ステップＳ１１０において、機器制御部５５は、第１段階における制御対象となる各車載機器８の現在の状態を記憶する。
【００４０】
ステップＳ１１１において、機器制御部５５は、ステップＳ１０７において決定された動作パターンのうち、第１段階の動作を開始するように、第１段階における制御対象である各車載機器８を制御する。
【００４１】
ステップＳ１１２において、機器制御部５５は、Ｓ１０９において読み込んだ第１移行条件が満たされるか否かを判定することにより、第２段階に移行するか否かを判定する。機器制御部５５は、第１条件が満たされて第２段階に移行すると判定されるまで、ステップＳ１１２の処理を繰り返す。
【００４２】
ステップＳ１１３において、機器制御部５５は、ステップＳ１０８において読み込んだ動作終了タイミングに基づいて、第１段階における制御対象のうち、第２段階において制御対象とならない車載機器８があるか否かを判定する。第２段階において制御対象とならない車載機器８がある場合は、ステップＳ１１４に処理を進め、ない場合は、ステップＳ１１５に処理を進める。
【００４３】
ステップＳ１１４において、機器制御部５５は、第１段階における制御対象のうち、第２段階において制御対象とならない車載機器８の動作を停止させ、ステップＳ１１０において記憶した状態に戻す。
【００４４】
ステップＳ１１５において、機器制御部５５は、ステップＳ１０７において決定された動作パターンから、第２段階における制御対象及び制御対象毎の動作終了タイミングを読み込む。動作終了タイミングは、第２段階において動作が開始された制御対象が動作を終了する段階を意味する。
【００４５】
ステップＳ１１６において、機器制御部５５は、ステップＳ１０７において決定された動作パターンから、第２段階から第３段階に移行する条件である第２移行条件を読み込む。
【００４６】
ステップＳ１１７において、機器制御部５５は、第２段階における制御対象となる各車載機器８の現在の状態を記憶する。
【００４７】
ステップＳ１１８において、機器制御部５５は、ステップＳ１０７において決定された動作パターンのうち、第２段階の動作を開始するように、第２段階における制御対象である各車載機器８を制御する。
【００４８】
ステップＳ１１９において、機器制御部５５は、Ｓ１１６において読み込んだ第２移行条件が満たされるか否かを判定することにより、第３段階に移行するか否かを判定する。機器制御部５５は、第２条件が満たされて第３段階に移行すると判定されるまで、ステップＳ１１９の処理を繰り返す。
【００４９】
ステップＳ１２０において、機器制御部５５は、ステップＳ１１５において読み込んだ動作終了タイミングに基づいて、第２段階における制御対象のうち、第３段階において制御対象とならない車載機器８があるか否かを判定する。第３段階において制御対象とならない車載機器８がある場合は、ステップＳ１２１に処理を進め、ない場合は、ステップＳ１２２に処理を進める。
【００５０】
ステップＳ１２１において、機器制御部５５は、第２段階における制御対象のうち、第３段階において制御対象とならない車載機器８の動作を停止させ、ステップＳ１１７において記憶した状態に戻す。
【００５１】
ステップＳ１２２において、機器制御部５５は、ステップＳ１０７において決定された動作パターンから、第３段階における制御対象を読み込む。
【００５２】
ステップＳ１２３において、機器制御部５５は、第３段階における制御対象となる各車載機器８の現在の状態を記憶する。
【００５３】
ステップＳ１２４において、機器制御部５５は、ステップＳ１０７において決定された動作パターンのうち、第３段階の動作を開始するように、第３段階における制御対象である各車載機器８を制御する。
【００５４】
ステップＳ１２５において、機器制御部５５は、車両の走行位置が、ステップＳ１０４において算出された制御領域から離脱したか否かを判定する。離脱した場合、ステップＳ１３０に処理を進め、離脱していない場合、ステップＳ１２６に処理を進める。
【００５５】
ステップＳ１２６において、機器制御部５５は、例えばイグニッションスイッチがオフにされたか否かにより、第３段階における動作を終了するか否かを判定する。動作を終了する場合、ステップＳ１２７に処理を進め、動作を終了しない場合、ステップＳ１２５に処理を戻す。
【００５６】
ステップＳ１２７において、機器制御部５５は、第３段階の動作を停止するように、第３段階における制御対象である各車載機器８を制御する。
【００５７】
ステップＳ１２８において、学習処理部５６は、ステップＳ１０８〜Ｓ１２６の間に、入力Ｉ／Ｆ６０に対するユーザの操作により、動作パターン記憶部４２により記憶された第１動作又は第２動作、制御領域算出部５４により算出された制御領域、領域記憶部４３に記憶された制御領域の少なくともいずれかを変更させる入力があったか否かを判定する。入力があった場合、ステップＳ１２９に処理を進め、入力がなかった場合、処理を終了する。
【００５８】
ステップＳ１２９において、学習処理部５６は、入力Ｉ／Ｆ６０からの入力内容に応じて、制御領域算出部５４により算出された制御領域、領域記憶部４３に記憶された制御領域を変更し、処理を終了する。
【００５９】
ステップＳ１３０において、機器制御部５５は、第３段階の動作を停止するように、第３段階における制御対象である各車載機器８を制御する。
【００６０】
ステップＳ１３１において、機器制御部５５は、ステップＳ１０７において決定された動作パターンにおいて制御対象となる各車載機器８を、ステップＳ１１０において記憶した状態に戻す。
【００６１】
ステップＳ１３２において、学習処理部５６は、ステップＳ１０８〜Ｓ１２６の間に、入力Ｉ／Ｆ６０に対するユーザの操作により、動作パターン記憶部４２により記憶された第１動作又は第２動作、制御領域算出部５４により算出された制御領域、領域記憶部４３に記憶された制御領域の少なくともいずれかを変更させる入力があったか否かを判定する。入力があった場合、ステップＳ１３３に処理を進め、入力がなかった場合、ステップＳ１０１に処理を戻す。
【００６２】
ステップＳ１３３において、学習処理部５６は、入力Ｉ／Ｆ６０からの入力内容に応じて、制御領域算出部５４により算出された制御領域、領域記憶部４３に記憶された制御領域を変更し、ステップＳ１０１に処理を戻す。
【００６３】
（第１実施例）
図５は、本発明の実施の形態に係る第１実施例における動作パターンを示す図である。第１実施例では、ユーザの自宅が車庫のある一軒家であり、車庫を制御地点とする場合の動作パターンを駐車ａとして説明する。なお、以下の実施例において説明しない構成、作用及び効果等は、上述の実施の形態と実質的に同様であり重複するため説明を省略する。各実施例相互間においても同様である。
【００６４】
機器制御部５５は、車両の走行位置が、制御領域算出部５４により算出された制御領域又は領域記憶部４３に記憶された制御領域に到達すると、第１段階における制御対象であるハザードランプを点滅させ、駐車用モニタを起動する。駐車用モニタは、広角レンズを有するカメラにより撮影された周囲の映像を、歪曲等を補正してディスプレイに表示することにより、運転者に提示し、駐車の支援を行う車載機器である。
【００６５】
機器制御部５５は、第１移行条件である、ギアポジションがＲレンジにシフトされることに応じて、実施段階である第２段階に移行し、オーディオの音声をミュート又は小さくし、アイドリングストップ機能をオフに設定する。ハザードランプ及び駐車用モニタの駆動は第１段階から継続される。この間に、車両は車庫に駐車される。オーディオ機器をミュートすることにより、運転者は、駐車の操作における集中力を向上することができる。アイドリングストップ機能をオフにすることにより、駐車作業中にアイドリングストップされる煩わしさが解消される。
【００６６】
また、第２段階において、運転者の嗜好に応じて、機器制御部５５は、運転席のロックの解除又は運転席の窓を開けるようにしてもよい。これにより、運転者は、パワーウィンドウ又はドアに対する操作なく、車両から顔を出して目視により車両の周囲を確認することができる。
【００６７】
機器制御部５５は、第２移行条件である、ギアポジションがＰレンジにシフトされることに応じて、駐車スペースへの駐車作業が完了した判断として、後処理段階である第３段階に移行する。第３段階への移行に応じて、機器制御部５５は、第２段階において制御対象となった車載機器８の動作を停止させる。機器制御部５５は、第３段階において、ルームランプをオンにし、ドアミラーを格納し、施解錠時のブザーをオンに設定する。
【００６８】
（第２実施例）
図６は、第２実施例における動作パターンを示す図である。第２実施例では、ユーザの自宅が機械式駐車場等の立体駐車場のある集合住宅であり、後退して駐車する駐車スペースを制御地点とする場合の動作パターンを駐車ｂとして説明する。
【００６９】
機器制御部５５は、車両の走行位置が立体駐車場エリアの入口に到達すると、第１段階における制御対象となるハザードランプを点滅させる。また、駐車場用のリモコンが必要な場合、第１段階において、リモコンを創作するためのルームランプを点灯させるようにしてもよい。
【００７０】
機器制御部５５は、第１移行条件である、車両の走行位置が駐車スペース近傍に到達することに応じて、第２段階に移行し、ハザードランプの点滅を継続させたままルームランプを消灯する。機器制御部５５は、第２段階において、オーディオの音声をミュートし、アイドリングストップ機能をオフに設定する。ハザードランプ及び駐車用モニタの駆動は第１段階から継続される。この間に、車両は車庫に駐車される。また、第２段階において、運転者の嗜好に応じて、機器制御部５５は、運転席のロックの解除又は運転席の窓を開けるようにしてもよい。
【００７１】
機器制御部５５は、第２移行条件である、ギアポジションがＰレンジにシフトされることに応じて、駐車スペースへの駐車作業が完了したと判断して、後処理段階である第３段階に移行する。第３段階への移行に応じて、機器制御部５５は、第２段階において制御対象となった車載機器の動作を停止させる。機器制御部５５は、第３段階において、ルームランプをオンにし、ドアミラーを格納し、施解錠時のブザーをオンに設定する。
【００７２】
（第３実施例）
図７は、第３実施例における動作パターンを示す図である。第３実施例では、ユーザの自宅の駐車場を制御地点として、夜間に家族を同乗させる場合の動作パターンを駐車ｃとして説明する。駐車cは、例えば、時間帯、曜日、入力Ｉ／Ｆ６０に対するユーザの操作等に基づく車両の状況に応じて、パターン決定部５３により決定される。
【００７３】
機器制御部５５は、車両の走行位置が、制御領域算出部５４により算出された制御領域又は領域記憶部４３に記憶された制御領域である自宅前の道路に到達すると、第１段階における制御対象である前照灯のポジションをスモールにする。これにより、ユーザの前照灯に対する操作を必要とせず、自宅の周囲に照射される光の量が低減され、夜間における自宅の周囲への影響を低減することができる。
【００７４】
機器制御部５５は、第１移行条件である、ギアポジションがＲレンジにシフトされることに応じて、実施段階である第２段階に移行し、オーディオの音声をミュートし、アイドリングストップ機能をオフに設定する。また、機器制御部５５は、第２段階において、ドアミラーを下方向にチルトし、バックビューモニタをオンの状態に固定する。バックビューモニタは、カメラにより撮影された車両の後方の映像をディスプレイに表示する車載機器である。バックビューモニタは、通常、ギアポジションがＲレンジのときに限りオンとなる。前照灯のポジションがスモールの状態は第１段階から継続される。この間に、車両は車庫に駐車される。
【００７５】
ドアミラーが下方向にチルトされることにより、運転者は、駐車時において車両の側方下側を確認しやすくなる。また、バックビューモニタのオンの状態が固定されることにより、車両の駐車時において、ギアポジションがＲレンジにシフトされるたびにオンオフが繰り返されることにより煩わしさを解消することができる。
【００７６】
機器制御部５５は、第２移行条件である、ギアポジションがＰレンジにシフトされることに応じて、駐車スペースへの駐車作業が完了した判断として、後処理段階である第３段階に移行する。第３段階への移行に応じて、機器制御部５５は、第２段階において制御対象となった車載機器の動作を停止させる。機器制御部５５は、第３段階において、ドアミラーを格納し、後部座席のスライドドアを開き、施解錠時のブザーをオフに設定する。車両の状況に応じて動作パターンが決定され、ブザーがオフに設定されることにより、ユーザの各車載機器８に対する操作を必要とせず、夜間における自宅の周囲への影響を低減することができる。
【００７７】
（第４実施例）
図８は、第４実施例における動作パターンを示す図である。第４実施例では、外出先の所定の駐車場を制御地点とする場合の動作パターンを駐車ｄとして説明する。駐車ｄは、例えば、制御地点として設定される駐車場に入場することにより、パターン決定部５３により決定される。
【００７８】
機器制御部５５は、車両の走行位置が、例えば駐車場の入口ゲートから所定の距離範囲に到達することにより制御領域に到達したと判断し、駐車ｄの第１段階に移行し、運転席のパワーウィンドウを開く。これにより、運転者は、パワーウィンドウに対する操作を行うことなく、ゲートに対する操作が可能な状態となる。
【００７９】
機器制御部５５は、第１移行条件である、車両の速度が所定の閾値（例えば４ｋｍ／ｈ）未満になることに応じて、第２段階に移行する。機器制御部５５は、第２段階において、ハザードランプを点滅させ、オーディオ機器をミュートし、アイドリングストップ機能をオフに設定し、バックビューモニタをオンの状態で固定する。第１移行条件は、その他、操舵角、ハザードランプに対する操作、駐車枠の検出結果等を用いてもよい。
【００８０】
機器制御部５５は、第２移行条件である、ギアポジションがＰレンジにシフトされることに応じて、駐車スペースへの駐車作業が完了した判断として、第３段階に移行する。第３段階への移行に応じて、機器制御部５５は、第２段階において制御対象となった車載機器の動作を停止させる。機器制御部５５は、第３段階において、ルームランプを点灯させ、ドアミラーを格納し、施解錠時のブザーをオンに設定する。
【００８１】
（第５実施例）
図９は、第５実施例における動作パターンを示す図である。第５実施例では、子供が通う幼稚園近傍の路上を制御地点として、後部座席に座る子供を乗降車させる場合の動作パターンを駐車ｅとして説明する。
【００８２】
機器制御部５５は、車両の走行位置が制御地点から所定の距離範囲である制御領域に到達したことに応じて、駐車ｅの第１段階に移行する。機器制御部５５は、第１段階において、ハザードランプを点滅させ、サイドブラインドモニタをオンにし、ドアミラーを下方向にチルトする。サイドブラインドモニタは、カメラにより撮影された車両側方の死角の映像をディスプレイに表示する車載機器である。
【００８３】
機器制御部５５は、第１移行条件である、車両の走行位置が制御地点側に所定の距離移動することに応じて、第２段階に移行する。機器制御部５５は、第２段階において、オーディオ機器をミュートし、アイドリングストップ機能をオフに設定し、運転席のドアロックを解錠又は運転席のパワーウィンドウを開く。ハザードランプの点滅、サイドブラインドモニタのオン、ドアミラーのチルトは、第１段階から継続される。第２段階の間、車両は、路肩へ幅寄せされる。
【００８４】
機器制御部５５は、第２移行条件である、ギアポジションがＰレンジにシフトされることに応じて、路肩への駐車作業が完了した判断として、第３段階に移行する。第３段階への移行に応じて、機器制御部５５は、第２段階において制御対象となった車載機器の動作を停止させる。機器制御部５５は、第３段階において、ドアミラーを格納し、後部座席のスライドドアを開き、施解錠時のブザーをオンに設定する。
【００８５】
（第６実施例）
図１０は、第６実施例における動作パターンを示す図である。第６実施例では、外出先の立体駐車場を制御地点として、後退して駐車する場合の動作パターンを駐車ｆとして説明する。
【００８６】
機器制御部５５は、車両の走行位置が、駐車場の入口ゲートから所定の距離範囲に到達することにより制御領域に到達したと判断し、駐車ｆの第１段階に移行し、運転席のパワーウィンドウを開く。
【００８７】
機器制御部５５は、第１移行条件である、車両の走行位置が第１段階移行時から所定の距離（例えば３０ｍ）変化することに応じて、第２段階に移行する。機器制御部５５は、第２段階において、オーディオ機器をミュートし、アイドリングストップ機能をオフに設定し、ドアミラーを下方向にチルトし、サイドブラインドモニタをオンに設定する。
【００８８】
機器制御部５５は、第２移行条件である、ギアポジションがＰレンジにシフトされることに応じて、駐車スペースへの駐車作業が完了した判断として、第３段階に移行する。第３段階への移行に応じて、機器制御部５５は、第２段階において制御対象となった車載機器の動作を停止させる。機器制御部５５は、第３段階において、ルームランプを点灯させ、ドアミラーを格納し、施解錠時のブザーをオンに設定する。
【００８９】
（第７実施例）
図１１は、第７実施例における動作パターンを示す図である。第７実施例では、高速道路を制御地点及び制御領域とし、車両の走行状態に応じて決定される動作パターンを高速道路ａとして説明する。
【００９０】
車両が高速道路に進入したことに応じて、パターン決定部５３は高速道路ａを決定し、機器制御部５５は第１段階に移行する。この場合、第１段階は、車載機器８を制御する段階でなく、第２段階への移行を待機する段階となる。機器制御部５５は、第１移行条件である、車両の速度が所定の速度範囲内、且つ、先行車との車間距離が所定の距離範囲内の状態を所定の時間（例えば５秒）継続されることに応じて、第２段階に移行する。
【００９１】
機器制御部５５は、第２段階において、クルーズコントロールシステムをオンに設定する。クルーズコントロールシステムは、運転者のアクセル操作と独立してエンジン、電動機、変速機等を制御することにより車両の加減速、トルクを自動的に制御するシステムである。クルーズコントロールシステムは、例えば、車速を一定に制御するＡＳＣＤ（Auto Speed Control Device）や、前方に先行車がない場合に設定された車速を維持し、前方に先行車がある場合に予め設定した車速に応じて車間距離を一定に制御するＩＣＣ（Intelligent Cruise Control）等を含む。
【００９２】
機器制御部５５は、例えば、運転者の操作により車線変更されることに応じて、第３段階に移行し、クルーズコントロールシステムをオフにする。車線変更は、操舵角、車線検出等により検出されればよい。機器制御部５５は、例えば、車両が右車線に車線変更した場合、第３段階において、「加速してください」等の音声をスピーカから出力、又は文字をディスプレイに表示することにより、運転者に手動操作を促す。これにより、追い越し車線において車両の速度が不足することを低減することができる。
【００９３】
（第８実施例）
図１２は、第８実施例における動作パターンを示す図である。第８実施例では、高速道路を制御地点及び制御領域とし、長時間走行する間に運転者が居眠りすることを防止する機能を実行する場合の動作パターンを高速道路ｂとして説明する。
【００９４】
高速道路においてクルーズコントロールシステムがオンに設定されることに応じて、パターン決定部５３は、高速道路ｂを決定し、機器制御部５５は、第１段階に移行する。機器制御部５５は、第１移行条件である、車両の速度が所定の速度範囲内、且つ、先行車との車間距離が所定の距離範囲内の状態を所定の時間（例えば２時間）継続されることに応じて、第２段階に移行する。
【００９５】
機器制御部５５は、第２段階において、マッサージ機能をオンにし、アロマディフューザをオンにし、エアコンに冷気を噴出させる。マッサージ機能がオンになることにより、車載機器である運転席のマッサージ器が駆動し、運転者の体をマッサージする。クルーズコントロールシステムがオンの状態は、第１段階から継続される。アロマディフューザは、充填された芳香剤の芳香を拡散する車載機器であり、芳香剤として眠気を覚ます効果を有するオイル等が採用されることにより、運転者の眠気を覚ますことができる。
【００９６】
機器制御部５５は、例えば、第２段階への移行から所定の時間が経過することに応じて、第３段階に移行する。機器制御部５５は、第２段階において制御対象となった車載機器の動作を停止させる。クルーズコントロールシステムがオンの状態は、第１段階から継続される。機器制御部５５は、第３段階において、「休憩しませんか？」等の音声をスピーカから出力し、運転者に休憩等の運転計画を提案する。第１移行条件及び第２移行条件は、運転者の生体情報を検出するセンサの出力に基づく条件等であってもよい。
【００９７】
（第９実施例）
図１３は、第９実施例における動作パターンを説明する図である。第９実施例では、高速道路を制御地点及び制御領域とし、車両が長い下り坂を走行する場合の動作パターンを高速道路cとして説明する。
【００９８】
車両が高速道路に進入したことに応じて、パターン決定部５３は高速道路ｃを決定し、機器制御部５５は第１段階に移行する。第１段階は、車載機器８を制御する段階でなく、第２段階への移行を待機する段階である。機器制御部５５は、第１移行条件である、車両の走行位置が、高速道路のうち、所定の長さ以上の下り坂区間に進入することに応じて、第２段階に移行する。下り坂区間は、地図情報から検出されるようにしてもよく、角速度センサから検出されるようにしてもよい。
【００９９】
機器制御部５５は、第２段階において、オーバードライブをオフに設定する。オーバードライブがオフに設定されることにより、変速機のギア比が１：１未満となることがなくなり、車速が上がりすぎることを低減することができる。
【０１００】
機器制御部５５は、車両の走行位置が下り坂区間から離脱することに応じて、機器制御部５５は、第３段階に移行し、オーバードライブのオフ設定を解除する。機器制御部５５は、第３段階において、「機能設定しますか？」等の音声をスピーカから出力、又はディスプレイに文字を表示することにより、第２段階において実行した運転者にオーバードライブをオフにする機能を今後も設定するか否かを提案する。運転者は、入力Ｉ／Ｆ６０に対して操作することにより、機能を今後も設定するか否かを選択する。運転者による入力Ｉ／Ｆ６０に対する操作に応じて、動作パターン記憶部４２は、対応する動作パターンを変更する。
【０１０１】
（第１０実施例）
図１４及び図１５は、第１０実施例における動作パターンを説明する図である。第１０実施例では、高速道路を制御地点及び制御領域とし、道路の形状に応じてクルーズコントロールシステムの動作を停止する場合の動作パターンを高速道路ｄ又は高速道路ｅとして説明する。
【０１０２】
車両が高速道路に進入したことに応じて、パターン決定部５３は高速道路ｄを決定し、機器制御部５５は第１段階に移行する。第１段階は、車載機器８を制御する段階でなく、第２段階への移行を待機する段階となる。機器制御部５５は、第１移行条件である、車両の速度が所定の速度範囲内、且つ、先行車との車間距離が所定の距離範囲内の状態を所定の時間（例えば５秒）継続されることに応じて、第２段階に移行する。
【０１０３】
機器制御部５５は、第２段階において、クルーズコントロールシステムをオンに設定する。機器制御部５５は、車両の走行位置が、曲率Ｒが所定の閾値を超える領域又はカーブが連続するワインディング領域に進入することに応じて、第３段階に移行する。機器制御部５５は、第３段階において、クルーズコントロールシステムをオフにする。機器制御部５５は、第３段階において、「ＡＳＣＤ利用不可です」等の音声をスピーカから出力、又は文字をディスプレイに表示することにより、運転者に手動操作を促す。これにより、クルーズコントロールシステムの適正な駆動が困難な領域において、運転者に手動操作を行うことを促すことができる。
【０１０４】
（第１１実施例）
図１６及び図１７は、第１１実施例における動作パターンを説明する図である。第１１実施例では、ユーザの自宅が車庫のある一軒家であり、車庫を制御地点とする場合の動作パターンを駐車ａとして説明する。
【０１０５】
パターン決定部５３は、現在時刻が日中の場合、図１６に示す駐車aを実行する動作パターンとして決定する。機器制御部５５は、車両の走行位置が、自宅前の道路に到達すると、第１段階における制御対象であるハザードランプを点滅させ、オーディオ機器をミュートする。機器制御部５５は、第１移行条件である、ギアポジションがＲレンジにシフトされることに応じて、第２段階に移行する。
【０１０６】
機器制御部５５は、第２段階において、アイドリングストップ機能をオフに設定し、運転席のドアを解錠する。ハザードランプの点滅及びオーディオ機器のミュートは第１段階から継続される。機器制御部５５は、第２移行条件である、ギアポジションがＰレンジにシフトされることに応じて、駐車スペースへの駐車作業が完了した判断として、第３段階に移行する。
【０１０７】
機器制御部５５は、第３段階において、第２段階において制御対象となった車載機器８の動作を停止させる。また、機器制御部５５は、第３段階において、ルームランプをオンにし、施解錠時のブザーをオンに設定する。
【０１０８】
一方、パターン決定部５３は、現在時刻が夜間の場合、図１６に示す駐車aを図１７に示すように変更し、変更された駐車aを実行する動作パターンとして決定する。機器制御部５５は、車両の走行位置が、自宅前の道路に到達すると、第１段階における制御対象である前照灯のポジションをスモールにし、オーディオ機器をミュートする。機器制御部５５は、第１移行条件である、ギアポジションがＲレンジにシフトされることに応じて、第２段階に移行する。
【０１０９】
機器制御部５５は、第２段階において、アイドリングストップ機能をオフに設定し、運転席のドアを解錠する。前照灯のポジション及びオーディオ機器のミュートは第１段階から継続される。機器制御部５５は、第２移行条件である、ギアポジションがＰレンジにシフトされることに応じて、駐車スペースへの駐車作業が完了した判断として、第３段階に移行する。
【０１１０】
機器制御部５５は、第３段階において、第２段階において制御対象となった車載機器８の動作を停止させる。また、機器制御部５５は、第３段階において、ルームランプをオンにし、ドアミラーを格納し、施解錠時のブザーをオフに設定する。
【０１１１】
パターン決定部５３は、夜間において前照灯のポジションをスモールにし、施解錠時のブザーをオフに設定するように動作パターンを変更することにより、夜間における自宅周囲への影響を低減することができる。このように、パターン決定部５３が車両の状況に応じて動作パターンを変更し、機器制御部５５が変更された動作パターンを実行するようにしてもよい。
【０１１２】
（第１２実施例）
図１８及び図１９は、第１２実施例において使用される動作パターンを説明する図である。本発明の実施の形態に係る車載機器制御装置は、特定の制御地点に関連付けられた特定の場所において過去に行われた車載機器８の動作を動作パターン記憶部４２が記憶し、機器制御部５５が過去に行われた動作に関連付けられた動作を制御領域において実行するように車載機器８を制御するように構成されてもよい。第１２実施例では、特定の場所をゴルフ場として例示的に説明する。
【０１１３】
動作パターン記憶部４２は、例えば、車載機器８及び動作が設定されていないブランクの動作パターンを記憶し得る。動作パターン記憶部４２は、例えば、ゴルフ場の駐車場においてトランクが開かれたことを車両のセンサが検出すると、図１８に示すように、ブランクの動作パターンの第１段階にトランクが開かれたことを記録する。ユーザは、車両のトランクに荷物を載せて、自宅に向けて運転を開始する。
【０１１４】
機器制御部５５は、ギアポジションがＤレンジにシフトされることに応じて、第２段階に移行し、ゴルフ場の敷地から離脱することに応じて、第３段階に移行する。また、動作パターン記憶部４２は、第３段階に移行したことに応じて、ゴルフ場を、自宅に関連付けられた特定の出発地として、対応する動作パターンに関連付ける。
【０１１５】
図１９は、ユーザの自宅の車庫を制御地点として駐車を行う場合の動作パターンを示す図である。パターン決定部５３は、図１９に示すように、出発地において行われた動作であるトランクを開くことに関連付けられた動作として、トランクのロックを解錠することを含むように動作パターンを変更する。
【０１１６】
機器制御部５５は、車両の走行位置が、自宅前の道路に到達すると、第１段階における制御対象であるハザードランプを点滅させ、オーディオ機器をミュートする。機器制御部５５は、第１移行条件である、ギアポジションがＲレンジにシフトされることに応じて、第２段階に移行する。
【０１１７】
機器制御部５５は、第２段階において、アイドリングストップ機能をオフに設定し、運転席のドアを解錠する。ハザードランプの点滅及びオーディオ機器のミュートは第１段階から継続される。機器制御部５５は、第２移行条件である、ギアポジションがＰレンジにシフトされることに応じて、駐車スペースへの駐車作業が完了した判断として、第３段階に移行する。
【０１１８】
機器制御部５５は、第３段階において、第２段階において制御対象となった車載機器８の動作を停止させる。また、機器制御部５５は、第３段階において、ルームランプをオンにし、施解錠時のブザーをオンに設定し、更に、トランクのロックを解錠する。
【０１１９】
（第１３実施例）
図２０〜図２４は、第１３実施例におけるタッチパネルディスプレイに表示される画面を示す図である。本発明の実施の形態に係る車載機器制御装置は、車載機器８の１つであるタッチパネルディスプレイに、パターン決定部５３により決定された動作パターンの少なくとも一部を表示させることにより、動作パターンを編集可能であってもよい。
【０１２０】
図２０は、目的地までの走行経路を案内するカーナビゲーションシステムによる表示画面の一例であり、黒の太線が設定された走行経路、走行経路上の矢印が車両の走行位置及び方向を示す。パターン決定部５３は、制御地点である駐車場までの距離が所定の距離未満となることに応じて、動作パターンを決定する。動作パターンが決定されると、パターン決定部５３は、例えば、図２０に示すように、「駐車」とタイトルが付されたウィンドウをディスプレイに表示し、ウィンドウ内に制御対象となる各車載機器及び設定動作を表示する。
【０１２１】
図２０に示す５つの項目は、ドアミラーが下方向に３／４チルトされ、運転席のパワーウィンドウが１／２開かれ、ドアロックが解錠され、バックビューモニタがＲレンジのときのみオンとなり、オーディオ機器がミュートされることを意味する。また、「Ｙｅｓ」、「Ｎｏ」及び「Ｈｉｄｅ」のボタンは、それぞれ、表示された動作パターンの実行の受諾、拒否及びウィンドウを隠すこと命令するボタンである。
【０１２２】
ここで、駐車シーンにおいて、バックビューモニタをギアポジションに関わらず常時オンにすることをユーザが所望したとする。このとき、図２１に示すように、ユーザは、ウィンドウに表示されたバックビューモニタの項目をタッチする。すると、ディスプレイは、図２２に示すように、バックビューモニタの動作を示す値及び値を指定するボタンを表示する。図２３に示すように、ユーザにより「常時ＯＮ」の値が選択されると、ウィンドウは、図２４に示すように、動作パターンのうち、バックビューモニタの項目が変更される。動作パターン記憶部４２は、変更に応じて動作パターンを上書きする。
【０１２３】
このように、実行予定の動作パターンが表示されることにより、ユーザは、制御地点が初めて訪れる場所の場合であっても、嗜好に合致した動作パターンを複数の車載機器８に実行させることができる。また、動作パターン記憶部４２が、変更に応じて記憶する動作パターンを上書きすることにより、以後の動作パターンは、簡単な操作によりユーザの嗜好に合致したものとなる。
【０１２４】
以上のように、本発明の実施の形態に係る車載機器制御装置によれば、制御地点毎に予め関連付けられた複数の車載機器の動作パターンを実行することにより、様々な車載機器８に対するユーザの操作を簡単且つ効率的に低減することができる。
【０１２５】
また、本発明の実施の形態に係る車載機器制御装置によれば、動作パターンが、時系列における複数の段階を有し、前記複数の段階毎に設定されるため、複数の車載機器８の動作を実用的に制御することができ、車載機器８に対するユーザの操作を簡単且つ効率的に低減することができる。
【０１２６】
また、本発明の実施の形態に係る車載機器制御装置によれば、動作パターンに、複数の段階を移行する移行条件として、車両の状況に基づく条件が設定されることにより、複数の車載機器８の動作を実用的に制御することができ、車載機器８に対するユーザの操作を簡単且つ効率的に低減することができる。
【０１２７】
また、本発明の実施の形態に係る車載機器制御装置によれば、過去に行われた動作に関連付けられた動作を実行することにより、ユーザの行動に応じて車載機器８の動作を実用的に制御することができ、車載機器８に対するユーザの操作を簡単且つ効率的に低減することができる。
【０１２８】
また、本発明の実施の形態に係る車載機器制御装置によれば、車両の状況に応じて、実行する動作パターンを決定することにより、車載機器８の動作を実用的に制御することができ、車載機器８に対するユーザの操作を簡単且つ効率的に低減することができる。
【０１２９】
また、本発明の実施の形態に係る車載機器制御装置によれば、車載機器の動作がユーザにより変更されることに応じて、記憶する動作パターンを変更することにより、動作パターンをユーザの嗜好に応じてカスタマイズすることができる。
【０１３０】
また、本発明の実施の形態に係る車載機器制御装置によれば、動作パターンがユーザにより編集可能であることにより、ユーザの嗜好に応じた動作パターンを記憶することができ、車載機器８に対するユーザの操作を簡単且つ効率的に低減することができる。
【０１３１】
（その他の実施の形態）
上記のように、本発明を上記の実施の形態によって記載したが、この開示の一部をなす論述及び図面は本発明を限定するものであると理解すべきではない。この開示から当業者には様々な代替実施の形態、実施例及び運用技術が明らかとなろう。
【０１３２】
例えば、既に述べた実施の形態において、制御領域算出部５４は、車両の速度に応じて、制御領域を算出するようにしてもよい。例えば、制御領域算出部５４は、車両の速度と、制御地点に到達するまでの時間が所定の時間（例えば３秒）となる点を制御領域に到達する点として算出する。制御領域算出部５４は、予め設定された減速時の速度プロファイルや、過去の走行履歴に基づいた速度プロファイルを用いて制御領域を算出するようにしてもよい。
【０１３３】
また、制御領域算出部５４は、制御対象となる車載機器８の種類に応じて、車両が制御地点に到達する間に走行する時間に基づいて、制御領域を算出するようにしてもよい。車載機器８は、パワーウィンドウ、ドアミラー等、動作の開始から完了までの遷移時間を有する機器が含まれる。このような遷移時間を有する車載機器８が制御対象となる場合、車両が走行する時間に基づいて、制御領域を算出することにより、車両が制御地点に到達するまでに、確実に動作を完了させることができ、制御地点を通過した後、効率的に動作を完了させることができる。
【０１３４】
また、移行条件は、ギアポジションの変化、走行位置の変化、車線の変化、走行状態の継続時間、車速等の他、例えば、所定の時間経過後、入力Ｉ／Ｆ６０に対する操作等、種々の条件が採用可能である。
【０１３５】
また、既に述べた実施の形態において、動作パターン記憶部４２が記憶する動作パターンは、車載機器８であるタッチパネルディスプレイを用いて変更される構成を説明した例示である。動作パターンは、例えば、ネットワークを介して、外部のＰＣ、スマートフォン等を用いて編集可能な構成であってもよい。
【０１３６】
また、上述の実施の形態及び実施例に記載される各機能は、１または複数の処理回路により実行され得る。処理回路は、電気回路を含む処理装置等のプログラムされた処理装置を含む。処理回路は、記載された機能を実行するようにアレンジされた特定用途向け集積回路（ＡＳＩＣ）や回路部品等の装置を含むようにしてもよい。
【０１３７】
上記の他、上記の実施の形態及び実施例に記載される各構成を任意に応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【０１３８】
８  車載機器
４１  地図情報記憶部
４２  動作パターン記憶部
５１  走行位置取得部
５３  パターン決定部
５４  制御領域算出部
５５  機器制御部
【図１】
0006606952.tif 000002
【図２】
0006606952.tif 000003
【図３】
0006606952.tif 000004
【図４】
0006606952.tif 000005
【図５】
0006606952.tif 000006
【図６】
0006606952.tif 000007
【図７】
0006606952.tif 000008
【図８】
0006606952.tif 000009
【図９】
0006606952.tif 000010
【図１０】
0006606952.tif 000011
【図１１】
0006606952.tif 000012
【図１２】
0006606952.tif 000013
【図１３】
0006606952.tif 000014
【図１４】
0006606952.tif 000015
【図１５】
0006606952.tif 000016
【図１６】
0006606952.tif 000017
【図１７】
0006606952.tif 000018
【図１８】
0006606952.tif 000019
【図１９】
0006606952.tif 000020
【図２０】
0006606952.tif 000021
【図２１】
0006606952.tif 000022
【図２２】
0006606952.tif 000023
【図２３】
0006606952.tif 000024
【図２４】
0006606952.tif 000025